(57)【要約】      （修正有）【課題】大津波発生時においては、高齢者や子供等であっても容易に短時間で避難する事ができ、簡単な構造で安価な浮上式小部屋を提供する。【解決手段】地盤に構築した基礎構造体の上部に、周囲を鋼板で囲い内部に発泡ポリスチレンフォームを嵌め込んだ浮力室１１を載せ、その浮力室の上部に浮力室と一体となるように平屋住宅１を構築し、大津波が押し寄せた際に、浮力室と一体となるように構築した平屋住宅を、概ね水平状態を保った状態で浮上させ、平屋住宅の船外機用外開きドアの室内側に船外機を横向きに設置し、浮力室と一体となるように構築した平屋住宅が大津波の上に浮き上がった後、船外機用外開きドアを開けてドアを固定し、ドアに設置した船外機を下部の取付金物に移設して稼動させ水面を自走する浮上式小部屋を提供する。【選択図】図３
2014201303.tif 000002
【特許請求の範囲】
【請求項１】
地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事を特徴とする津波対応浮上式小部屋（ガイドタワー式）。
【請求項２】
平屋住宅の周囲の四隅に基礎構造体と一体に４本のポールを垂直に立て、４本のポールに対置する平屋住宅の上部と下部の壁面に、ポールを緩く挿入する事ができて複数のローラーを内臓し直方体の形状をしたガイド金具を取付けた事を特徴とする請求項１に記載の津波対応浮上式小部屋（ガイドタワー式）。
【請求項３】
大津波が押し寄せて来る方向の左又は右側面の壁の両端に、基礎構造体と一体に２本のポールを垂直に立て、２本のポールに対置する平屋住宅の上部と下部の壁面に、ポールを緩く挿入する事ができて複数のローラーを内臓し直方体の形状をしたガイド金具を取付けた事を特徴とする請求項１に記載の津波対応浮上式小部屋（ガイドタワー式）。
【請求項４】
大津波が押し寄せて来る方向の壁面の両端に、基礎構造体と一体に２本のＨ型鋼のポールを垂直に立て、２本のＨ型鋼に鋼材を面格子状態になるように取付け、２本のＨ型鋼に対置する平屋住宅の上部と下部の壁面に、Ｈ型鋼のフランジを囲い込むような四角形状で複数のローラーを内臓したガイド金具を取付けた事を特徴とする請求項１と２に記載の津波対応浮上式小部屋（ガイドタワー式）。
【請求項５】
ガイド金具の、ポールを挿入するためのガイドボックスを丸棒で円形状に構成した事を特徴とする請求項１乃至３に記載の津波対応浮上式小部屋（ガイドタワー式）。
【請求項６】
船外機用外開きドアの室内側に、船外機をドアに対して横方向に設置するための取付金具を上下２ヵ所に設置し、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事を特徴とする請求項１乃至５に記載の津波対応浮上式小部屋（ガイドタワー式）。
【発明の詳細な説明】
【技術分野】
【０００１】  この発明は、平常時には人が住居として活用し、大地震による大津波発生時には、大津波の水の勢いで浮上式小部屋が概ね水平状態を保った状態で水面に浮上し、浮上式小部屋に取付けた船外機を稼動させて安全に避難するための浮上式小部屋の構造に関するものである。
【背景技術】
【０００２】  平成２３年３月１１日に発生した東日本大震災と、それに伴って発生した大津波により亡くなった死者と行方不明者の合計は２万人以上にも及び、今後も、東海トラフ地震等の大地震や大津波が発生するおそれのある事が指摘されており、災害時に自ら救命するための対策を準備しておく事が不可欠になっている。【０００３】  大地震が発生した際、津波災害に遭遇しないためには、いち早く安全な高台等に避難することが必要であるが、震源地が近い時や、高台の無い沿岸部で生活している人にとっては高いビルや高台等へ避難する時間的余裕がなく、特に、高齢者など足腰が弱い人の場合には、大地震発生から大津波が到達するまでの短時間の間に、ビル等の長い階段を上って高い位置にある屋上へと避難するのは非常に大変な事であり、また、車で避難する場合には交通渋滞等により避難場所までの移動が困難な状況となり、避難途中に津波に巻き込まれて死亡する危険性が高かった。【０００４】  さらに、昨年８月に示された南海トラフ巨大地震の被害想定では、死者は最大３２万人、建物全壊は２３８万棟と見込まれた事から、鉄骨構造で十数メートルの高さのタワー型避難台の建築も提案されている。しかし高齢者などが短時間の内に十数メートルの高さの階段を登ることが出来るかどうか疑問も残ると共に、津波の高さが十数メートル以内であるかどうかの保証も無いため、普及する段階まで至っていない。【０００５】  このような実情に鑑みて、津波発生時において短時間で避難できる簡易なシェルターが、例えば特許文献１で提案されている。これは家屋に対して一体に付設されて該家屋からの出入が可能なシェルターであって、大津波来襲時において家屋からシェルターを分離させるための分離手段と、家屋から分離させたシェルターを密閉する密閉手段とを具備し、家屋から分離させた状態において水に浮くシェルターであった。【０００６】  しかしながら、特許文献１は、家屋全体が高波に飲み込まれてしまうと、シェルターも家屋に押しつぶされて水面に浮上する事ができない恐れがあると共に、シェルター自体が水面に対して水平を保って上昇出来ない可能性があり、シェルターが大津波に飲み込まれて横転したり転覆したりして避難者が負傷する恐れがあるため、津波避難用のシェルターとしては問題が残った。【０００７】  さらに、例えば特許文献２では、建物の屋根部が密閉空間を有するシェルターで形成され、該シェルターが居住部の上方に配置された構造で、上部を屋根形状に形成すると共に、下部を略船底形状に形成した密閉可能なシェルターで、居住部とシェルターとが取付手段を介して固定され一体化しているシェルターであった。【０００８】  しかしながら、特許文献２は、密閉空間を有するシェルターのため、平常時に居住空間として使用するには、採光、通風の面で問題が残ると共に、大きな津波が押し寄せて来た際には、シェルターが大津波に巻き込まれ、シェルターが横転したり転覆してしまう危険性があった。【０００９】  さらに、地中固定された支柱に連結した油圧シリンダーの駆動により避難タワーを昇降させる技術が、例えば特許文献３で提案されているが、昇降可能の高さを超えた大津波が押し寄せてきた場合の対策としては不十分であ��た。
【先行技術文献】
【特許文献】
【００１０】
【特許文献１】特開２００７−２７７９９８
【特許文献２】特開２０１２−２３３３０６
【特許文献３】特開２００６−１１２０８８
【発明の概要】
【発明が解決しようとする課題】
【００１１】  本発明は、上記した従来技術の問題点を解決すべくなされたもので、大津波発生時において高齢者や子供等であっても容易に短時間で避難する事ができ、逃げ遅れて大津波に巻き込まれる危険性を解消する事ができ、簡単な構造で安価に構築する事ができる浮上式小部屋を提供することを課題とする。【００１２】  さらに、本発明の浮上式小部屋を大津波の避難用として使用する事は極めて稀であり、そのため、平常時においては、一般的な住宅と同様に生活するための小部屋として活用する事を前提とし、大津波に遭遇した場合でも横転したり転覆すること無く、概ね水平状態を保った状態で浮上し、どのような高い大津波にも対応できる避難所を提供することを課題とする。【００１３】  さらに、平成２３年３月１１日に発生した東日本大震災で問題となった、津波が海岸から沖合に向かって進行する引き波により、浮上式小部屋が沖合いまで流された場合も、自力で陸地まで戻ることを可能とする浮上式小部屋を提供することを課題とする。
【課題を解決するための手段】
【００１４】  かかる課題を解決するため、請求項１に記載の発明は、地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事を特徴とする。【００１５】  請求項２に記載の発明は、請求項１に記載の構造に加え、平屋住宅の周囲の四隅に基礎構造体と一体に４本のポールを垂直に立て、４本のポールに対置する平屋住宅の上部と下部の壁面に、ポールを緩く挿入する事ができて複数のローラーを内臓し直方体の形状をしたガイド金具を取付けた事を特徴とする。【００１６】  請求項３に記載の発明は、請求項１に記載の構造に加え、大津波が押し寄せて来る方向の左又は右側面の壁の両端に、基礎構造体と一体に２本のポールを垂直に立て、２本のポールに対置する平屋住宅の上部と下部の壁面に、ポールを緩く挿入する事ができて複数のローラーを内臓し直方体の形状をしたガイド金具を取付けた事を特徴とする。【００１７】  請求項４に記載の発明は、請求項１と２に記載の構造に加え、大津波が押し寄せて来る方向の壁面の両端に、基礎構造体と一体に２本のＨ型鋼のポールを垂直に立て、２本のＨ型鋼に鋼材を面格子状態になるように取付け、２本のＨ型鋼に対置する平屋住宅の上部と下部の壁面に、Ｈ型鋼のフランジを囲い込むような四角形状で複数のローラーを内臓したガイド金具を取付けた事を特徴とする。【００１８】  請求項５に記載の発明は、請求項１乃至３に記載の構造に加え、ガイド金具の、ポールを挿入するためのガイドボックスを丸棒で円形状に構成した事を特徴とする。【００１９】  請求項６に記載の発明は、請求項１乃至５に記載の構造に加え、船外機用外開きドアの室内側に、船外機をドアに対して横方向に設置するための取付金具を上下２ヵ所に設置し、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事を特徴とする。
【発明の効果】
【００２０】  請求項１に記載の発明によれば、地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事により、平常時には平屋住宅を居室として活用し、大津波が押し寄せて来た際には安全に避難するための救命住宅としての役目を果たし、水中に長時間入れても表面に水が付着するだけで、吸水量が非常にわずかな発泡ポリスチレンフォームを鋼板で囲い、平屋住宅を水面上に浮かせるための浮力材として活用したため、簡単な構造と安価な費用で、安全性の高い津波対応浮上式小部屋を建築する事が可能となった。【００２１】  請求項２に記載の発明によれば、平屋住宅の周囲の四隅に基礎構造体と一体に４本のポールを垂直に立て、４本のポールに対置する平屋住宅の上部と下部の壁面に、ポールを緩く挿入する事ができて複数のローラーを内臓し直方体の形状をしたガイド金具を取付けた事により、大津波が押し寄せて来た場合でも、ガイド金具にローラーを内臓した事により、船が大波を乗り越える時のように、平屋住宅の一端が大津波により持ち上がるような場合でも、ポールがガイド金具に挟まる事なく、平屋住宅が概ね水平状態を保った状態で浮上させる事が可能となり、そのため平屋住宅が横転したり転覆する危険が無くなり、安全に避難する事が可能となった。【００２２】  請求項３に記載の発明によれば、大津波が押し寄せて来る方向の左又は右側面の壁の両端に、基礎構造体と一体に２本のポールを垂直に立て、２本のポールに対置する平屋住宅の上部と下部の壁面に、ポールを緩く挿入する事ができて複数のローラーを内臓し直方体の形状をしたガイド金具を取付けた事により、平屋住宅が大津波の上に浮上するまで多少の揺れや傾きは生ずるものの、コストを概ね半分に抑え、大津波が押し寄せて来た場合でも、平屋住宅が横転したり転覆する事なく、概ね水平状態を保った状態で浮上させる事が出来るようになり、安全に避難する事が可能となった。【００２３】  請求項４に記載の発明によれば、大津波が押し寄せて来る方向の壁面の両端に、基礎構造体と一体に２本のＨ型鋼のポールを垂直に立て、２本のＨ型鋼に鋼材を面格子状態になるように取付け、２本のＨ型鋼に対置する平屋住宅の上部と下部の壁面に、Ｈ型鋼のフランジを囲い込むような四角形状で複数のローラーを内臓したガイド金具を取付けた事により、大津波で自動車等の大型漂流物が流されてきた場合でも、２本のＨ型鋼に対して面格子状態になるように取付けられた鋼材に大型漂流物が衝突し、平屋住宅が破壊するのを防ぐと共に、Ｈ型鋼のフランジを利用して、平屋住宅を、概ね水平状態を保った状態で浮上させる事が出来るようになり、安全に避難する事が可能となった。【００２４】  請求項５に記載の発明によれば、ガイド金具の、ポールを挿入するためのガイドボックスを丸棒で円形状��構成した事により、簡単な構造と安価な費用で、平屋住宅を、概ね水平状態を保った状態で浮上させる事が出来るようになり、安全に避難する事が可能となった。【００２５】  請求項６に記載の発明によれば、船外機用外開きドアの室内側に、船外機をドアに対して横方向に設置するための取付金具を上下２ヵ所に設置し、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事により、非常事で気持ちが動転しているような状態においても船外機を容易に操作する事が出来るようになり、安全に避難する事が可能となった。
【実施例１】
【００２６】  以下、この発明の実施の形態１について説明する。
［発明の実施の形態１］【００２７】  図１乃至図６には、この発明の実施の形態１を示す。【００２８】  図１と図２は、本発明の津波対応浮上式小部屋の、基礎部２１と浮力室１１と平屋住宅１を立体図で示すと共に、図１では浮力室１１を部品の分解図で示し、図２では浮力室１１を組立図で示す。地盤に基礎部２１の基礎構造体１６、１７、１８、１９を構築し、その上部には、四隅に四角鋼材の支柱１０を配置し、その四角鋼材の隣り合う側面の上下部分を、互いに角形鋼管で形成した上部梁１３と下部梁１４で溶接して接合し、底面は面格子状になるように下部梁１４に対して平鋼材を溶接して床梁１５を形成し、浮力室１１の周囲の骨格（上部梁１３、下部梁１４）の外側の側面に平板状の鋼板１２を溶接して取付け、このように構成した枡形状をした浮力室１１の内側に、直方体の形状をした発泡ポリスチレンフォーム９（４枚の発泡ポリスチレンフォームを並べて一枚の発泡ポリスチレンフォーム９となるように構成した）を嵌め込み、浮力室１１の上部に浮力室１１と一体となるように平屋住宅１を構築し、平屋住宅１には出入口ドア６を取付け、室外から出入口ドア６を開けて入室出来るように、出入口ドア６の室外側には地盤に固定した階段２０を配置する。【００２９】  浮力室１１に発泡ポリスチレンフォーム９を使う理由は、軽くて丈夫で、加工が簡単で、水中に長時間つけても表面に水が付着するだけで、吸水量は非常にわずかで、水中に侵漬しても膨潤したり、軟化、変形、変質したりすることが無く、硬質ウレタンフォームに比べ吸水量が概ね３分の１で、水を吸収しにくい性質を有するため、本発明の浮力材としては最適であり、建築する平屋住宅１の大きさ（述べ床面積）と重量に対して、浮力室１１の容積を変化させ、発泡ポリスチレンフォーム９の嵌め込み量を増減させる事により容易に対応する事が出来る。このように構成した事により、大津波が押し寄せて来た場合でも、浮力室１１の中に嵌め込んだ発泡ポリスチレンフォーム９の浮力により、平屋住宅１を大津波の上面に浮上させる事が可能となった。【００３０】  さらに、平屋住宅１は、一般的な在来工法住宅、ツーバイフォー住宅、軽量鉄骨住宅で作られ、浮力室１１と平屋住宅１は、浮力室１１の支柱１０と上部梁１３に溶接されたボルト（図示せず）を平屋住宅１の土台（図示せず）にナット（図示せず）で固定する事により、浮力室１１と平屋住宅１が一体となり、壁の内部には断熱材を使用し、床にはフローリングを施工し、日常生活を快適に過ごす事が出来るように平屋住宅１は建築される。さらに、平屋住宅１の内部には、冬季に避難する際に必要な人体を寒さから守るため、少なくとも「４人分の保温シート」「懐中電灯付手回しラジオ」「笛」と、平屋住宅１の内部に侵入した水を汲み出したり、大小便にも利用する事ができる「排水具」と、平屋住宅１を安全な場所に避難させるための「鉤付オール」と、平屋住宅１を係留させるための「ロープ」が装備される。【００３１】  図３は、図１と図２で説明した基礎構造体１６、１７、１８、１９の上部に浮力室１１を載せ、その浮力室１１の上部に浮力室１１と一体となるように平屋住宅１を構築し、平屋住宅１の周囲の四隅に基礎構造体と一体に４本��円筒状のポール２６を垂直に立て、平屋住宅１の壁面４の４本の円筒状のポール２６に対置する上下位置にガイド金具２５、３３を取付けた状態を立体図で示す。【００３２】  平屋住宅１１の上部の壁面４に取付けられるガイド金具２５は、円筒状のポール２６を挿入する事が出来るように、中心部に四角形状の開口部を開けた略直方体の形状をしたガイドボックス２８と、そのガイドボックス２８の四角形状の開口部に対して出っ張るように取付けられた２個のローラー２７、２９で構成され、ガイドボックス２８には、平屋住宅１１の大きさ（述べ床面積）によってガイドボックス２８の高さを変える事が出来るように高さ調整用の角材３０が取付けられ、その角材３０にはガイド金具２５を壁面４に固定するためのベース板３１が取付けられる。【００３３】  さらに、平屋住宅１１の下部の壁面４に取付けられるガイド金具３３のガイドボックス４２は、ガイド金具２５で説明したガイドボックス２８と同一形状で、ガイドボックス４２の横面には角材３８が取付けられ、その角材３８にはガイド金具４２を壁面４に固定するためのベース板３９が取付けられる。【００３４】  このように構成された、ガイド金具２５のベース板３１とガイド金具３３のベース板３９を壁面４に対して垂直に固定する際、上下に位置するガイド金具２５のガイドボックス２８とガイド金具３３のガイドボックス４２の間隔と、壁面４に対して隣り合うポール２６との間隔が、横方向のポール２６の間隔に対して、縦方向のガイドボックス２８とガイドボックス４２の間隔を大きく取る事により、大津波が押し寄せた際に安定した状態で、平屋住宅１を水面に浮上させる事が可能となる。【００３５】  図４は、図３で説明した、浮力室１１の上部に浮力室１１と一体となるように構築した平屋住宅１が大津波により持ち上げられた事により、浮力室１１が水面４４の下に沈み込み、平屋住宅１が大津波の水面に浮び上がった状態を立体図で示す。【００３６】  大地震に遭遇した際には、いち早く、本発明の津波対応浮上式小部屋に避難し出入口ドア６を閉めれば、万一、最初の大津波が押し寄せ、船が大波を乗り越える時のように、平屋住宅１の一端が持ち上げられるような状態に陥った場合においても、発泡ポリスチレンフォーム９を嵌め込んだ浮力室１１の浮力と、４本の垂直に立てたポール２６と、それぞれのポール２６に対置する平屋住宅１の上部と下部の壁面４に取付けられたガイド金具２５、３３により平屋住宅１が概ね水平状態を保った状態で水面に浮上し、大津波が、最初の大波のような状態から、水面の高さが安定して、ほぼ一定高さ（３〜４メートル）になった状態において、４ヵ所のガイド金具３３が４本のポール２６から外れ、平屋住宅１は大津波の水面４４に浮上し流されるように構成される。このように４本のポール２６と平屋住宅１の壁面４に取付けた４ヵ所のガイド金具２５、３３を構成する事により、平屋住宅１がスムーズに上昇し、平屋住宅１が横転したり転覆する危険性が無くなる。【００３７】  このように平屋住宅１の下部に発泡ポリスチレンフォーム９を嵌め込んだ浮力室１１を配置し、浮力室１１を鋼板で囲った事により、平屋住宅１が大津波の水面を流されている最中に、自動車や電柱��建物等に接触した場合においても、周囲を平板状の鋼板で囲われた浮力室１１や平屋住宅１が一部損傷する事はあっても発泡ポリスチレンフォーム９が水をほとんど吸収しないため、平屋住宅１は水中に沈む事なく安全に避難する事が可能となった。【００３８】  図５ａ、図６は、平屋住宅１に取付けられた船外機用外開きドア５１の取付け位置と、船外機用外開きドア５１に、船外機５０を取付けた状態を示す。さらに図６では浮力室１１と連結した平屋住宅１が大津波の水面に浮き上がった後、船外機用外開きドア５１の開閉ドア５３を開けて固定し、開閉ドア５３に設置した船外機５０を下部の取付金具に移設して稼動させた状態を立体図で示す。この場合に使用する船外機５０については、一般に小型ボート用として市販されている２馬力程度の２ストロークエンジンを使用した船外機を使用する事により、燃料（混合ガソリン）の保管も容易で、操作も簡単で軽く、移設も容易に行う事が可能となる。【００３９】  図５ｂは、船外機用外開きドア５１の開閉ドア５３を閉めた状態において開閉ドア５３に取付けた船外機上部取付金具５６の位置と、船外機下部取付金具５８の上下の位置関係を示す。図５ｃは、図５ｂで説明した船外機上部取付金具５６に船外機５０を開閉ドア５３の内側に横向きに取付けた状態を示す。図５ｄは、図５ｃで説明した開閉ドア５３を９０度外側に開放し、開閉ドア５３に取付けられ鉤形をしたドア固定用フック５９をドア枠５２に取付けられ半円形をしたフック固定金物６０に引っ掛けて固定した状態を示す。このように開閉ドア５３を固定する事により、船外機５０が平屋住宅１に対して進行方向を向くように配置される。船外機上部取付金具５６と船外機下部取付金具５８の形状については、設置する船外機５０の種類と大きさ（馬力）によっても異なると共に、船外機上部取付金具５６を取付ける位置は、本発明の津波対応浮上式小部屋が大津波で流され、開閉ドア５３を９０度外側に開口する際、船外機５０がドア枠５２に接触しない位置に取付ける。さらに船外機下部取付金具５８を取付ける位置は、船外機用外開きドア５１の開閉ドア５３を９０度外側に開口し、ドア固定用フック５９とフック固定金物６０で開閉ドア５３を固定し、船外機５０を船外機上部取付金具５６から取外し船外機下部取付金具５８に移設した際、船外機５０のスクリュウが水中に十分水没する位置に取付ける。【００４０】  このように船外機用外開きドア５１を構成する事により、室内で平常時においても妨げとならないように船外機５０を配置する事が可能となると共に、非常時で気持ちが動転しているような状態においても、単に開閉ドア５３を開けて船外機５０を下部の船外機下部取付金具５８に移設するという簡単な操作で、船外機５０を平屋住宅１の外に固定し稼動させる事が可能となるため、大津波が海岸から沖合いに向かって進行する引き波により平屋住宅１が沖合いまで流された場合でも、自力で安全に陸地まで戻る事が出来る。【００４１】  図６は、図５で説明した浮力室１１の上部に浮力室１１と一体となるように構築した平屋住宅１が大津波の水面４４に浮き上がった状態を立体図で示す。図５ｄで説明したように、船外機用外開きドア５１の開閉ドア５３を９０度外側に開口し、ドア固定用フック５９とフック固定金物６０で開閉ドア５３を固定し、船外機５０を船外機上部取付金具５６から取外して船外機下部取付金具５８に移設し、平屋住宅１が水面４４に浮かんで自走出来るようになった状態を示す。
【実施例２】
【００４２】  以下、この発明の実施の形態２について説明する。
［発明の実施の形態２］【００４３】  図７と図８は、この発明の実施の形態２を示す。上記発明の実施の形態１では、図３、図４において、４本のポール２６をガイドするための、それぞれのガイド金具２５又は３３は、中心部に四角形状の開口部を開け略立方体の形状をしたガイドボックス２８又は４２で形成されていたが、この発明の実施の形態２では、ポール６８をガイドするためのガイド金具が、丸棒を円形状に丸めた形状のリング７０、７５で成形される。このように構成する事により、ガイド金具６９、７４を簡単な構造で安価に製造する事が可能となる。その他の構造に関しては、この発明の実施の形態１と同様である。
【実施例３】
【００４４】  以下、この発明の実施の形態３について説明する。
［発明の実施の形態３］【００４５】  図９と図１０は、この発明の実施の形態３を示す。上記発明の実施の形態２では、図７、図８において、平屋住宅６５の周囲の四隅に基礎構造体と一体に４本のポール６８を配置し、４本のポールに対置する平屋住宅６５の上部と下部の壁面にポール６８を緩く挿入する事ができる丸棒で円形状に丸めた形状のガイド金具６９、７４を取付けたが、この発明の実施の形態３では、平屋住宅１００の一方の壁側の２本のポール１０２（図７のポール６８と同一ポール）と、それに対応する２組のガイド金具１０３、１０５（図７のガイド金具６９、７４と同一ガイド金具）で構成される。このように構成する事により、大津波が押し寄せて来た際、この発明の実施の形態２に比べ、平屋住宅１００を大津波から守るためのポールを４本から２本に減少させたため、平屋住宅１００が水面に浮上するまで多少の揺れや傾きは生ずるものの、建築する際の費用を大幅に抑える事が可能となり、費用対効果が高くなる。その他の構造に関しては、この発明の実施の形態２と同様である。
【実施例４】
【００４６】  以下、この発明の実施の形態４について説明する。
［発明の実施の形態４］【００４７】  図１１と図１２は、この発明の実施の形態４を示す。上記発明の実施の形態１では、図３、図４において、平屋住宅１の周囲の四隅に配置される４本のポール２６と、その４本のポール２６に対置する平屋住宅１の上部と下部の壁面４に、ポール２６を緩く挿入する事ができ複数のローラーを内臓した直方体のガイド金具２５、３３を取付けたが、この発明の実施の形態４では、発明の実施の形態１で説明した、４本のポール２６の内の出入口と反対側に位置する２本のポール２６を撤去し、大津波が押し寄せて来る方向の壁面１４５の両端に、基礎構造体１６０、１６２と一体に２本のＨ型鋼１６４、１６５をフランジ面が平屋住宅１６６の壁面に向くように構築し、２本のＨ型鋼１６４、１６５の大津波が押し寄せて来る方向のフランジ面に、鋼材１６１、１６３を面格子状態になるように縦横に溶接して取付け、２本のＨ型鋼１６４、１６５に対置する平屋住宅１６６の上部と下部の壁面１４５に、Ｈ型鋼１６４、１６５のフランジを囲い込むような四角形状で複数のローラーを内臓したガイド金具１２７、１５５を取付けた状態を示す。【００４８】  Ｈ型鋼１６４、１６５のフランジ面に対置する平屋住宅１６６の上部の壁面に取付けられるガイド金具１２７は、Ｈ型鋼１６４、１６５のフランジを挟み込む事が出来るように、コの字形状の開口部のある略直方体の形状をしたガイドボックス１３０と、そのガイドボックス１３０の四角形状の開口部に対して張り出すように取付けられた２個のローラー１２８、１２９で構成され、ガイドボックス１３０には、平屋住宅１６６の大きさ（述べ床面積）に対応してガイドボックス１３０の高さを変える事が出来るように高さ調整用の角材１３１が取付けられ、その角材１３１にはガイド金具１２７を壁面１４５に固定するためのベース板１３２が取付けられる。【００４９】  さらに、平屋住宅１６６の下部の壁面に取付けられるガイド金具１５５のガイドボックス１５９は、ガイド金具１２７で説明したガイドボックス１３０と同一形状で、ガイドボックス１５９の横面には角材１５７が取付けられ、その角材１５７にはガイド金具１５５を壁面１４５に固定するためのベース板１５６が取付けられる。【００５０】  このようにガイド金具１２７、１５５を構成する事により、Ｈ型鋼１６４、１６５のフランジ面を利用してガイドボックス１３０、１５９が上下に移動する事が出来るようになり、大津波で自動車等の大型漂流物が流されて来た場合でも、２本のＨ型鋼１６４、１６５に面格子状になるように取付けられた鋼材１６１、１６３に大型漂流物が衝突する事により、平屋住宅１６６が破壊するのを防ぐと共に、最初の大津波が押し寄せて来た際、船が大波を乗り越える時のように、大津波が押し寄せて来た方向の平屋住宅１６６の一端が持ち上がるような状態になった場合でも、２本のポール１４４と２本のＨ型鋼１６４、１６５に取付けられたガイド金具１２０、１４６、１２７、１５５により、平屋住宅１６６が概ね水平状態を保った状態で水面１７０に浮上し、大津波が、最初の大波のような状態から、水面の高さが、ほぼ一定高さ（３〜４メートル）になった状態において、２ヵ所のポール１４４と２本のＨ型鋼���６４、１６５に取付けられたガイド金具１２０、１４６、１２７、１５５が２本のポール１４４と２本のＨ型鋼１６４、１６５から外れ、平屋住宅１６６は大津波の水面に浮上して流される。このように構成する事により、安価な費用で自動車等の大型漂流部から平屋住宅１６６を守る事が可能となると共に、２本のＨ型鋼１６４、１６５のフランジを利用して、平屋住宅１６６に取付けたガイド金具１２７、１５５により平屋住宅１６６を概ね水平状態を保った状態で水面に浮上させる事が可能となった。その他の構造に関しては、この発明の実施の形態１と同様である。【００５１】  以上、実施の形態に基づいて、本発明に係る津波対応浮上式小部屋（ガイドタワー式）について詳細に説明してきたが、本発明は、以上の実施の形態に限定されるものではなく、発明の趣旨を逸脱しない範囲において各種の改変をなしても、本発明の技術的範囲に属するのはもちろんである。【００５２】  図１、図２において、支柱１０と基礎構造体との契合方法について記載していないが、古い神社の柱と置石のように、基礎構造体の一部に角穴を開け、支柱１０の下部に逆凸部を形成し、基礎構造体の角穴と逆凸部を契合させる事により、地震等で平屋住宅が揺れた場合にも、住宅が基礎から外れて倒壊するのを防ぐと共に、大津波で平屋住宅が持ち上げられた場合には、自動的に角穴と逆凸部の契合が外れるように構成する事も、もちろん可能である。【００５３】  図３において、平屋住宅の周囲の四隅に基礎構造体と一体に４本のポールを垂直に立て、と説明したが、図３で示すように、平屋住宅１の基礎構造体とポール２６の基礎構造体を別々に構築する事も、もちろん可能である。さらに、ガイド金具３３のベース板３９の取付け位置に関しても、図３で示すように浮力室１１の側面に取付ける事も、もちろん可能である。【００５４】  図５、図６において、船外機５０を取付けた壁の反対側の壁に出入口ドア６だけを取付けているが、一人で平屋住宅１に避難し、一人で平屋住宅１を自走させるような場合を想定すれば、その出入口ドア６の両側に前方を見渡す事が出来る透明な窓等を取付ける事により、より一層安全に平屋住宅１を自走させる事が可能となる。
【図面の簡単な説明】
【００５５】
【図１】この発明の実施の形態１に係る、津波対応浮上式小部屋の基礎部と浮力室と平屋住宅を立体図で示すと共に、浮力室を分解図で示す。
【図２】同実施の形態に係る、津波対応浮上式小部屋の基礎部と浮力室と平屋住宅を立体図で示す。
【図３】同実施の形態に係る、浮力室の上部に浮力室と一体となるように構築した平屋住宅の四隅に４本のポールを構築し、平屋住宅の壁面に、４本のポールに対置する位置にガイド金具を取付けた状態を立体図で示す。
【図４】同実施の形態に係る、図３で説明した、浮力室の上部に浮力室と一体となるように構築した平屋住宅が、大津波の上に浮き上がった状態を立体図で示す。
【図５】同実施の形態に係る、船外機用外開きドアの取付け位置と、開閉ドアに、船外機を取付けた状態を示す。さらに、浮力室と連結した平屋住宅が津波の上に浮き上がった後、船外機用外開きドアを開けてドアを固定し、ドアに設置した船外機を下げて稼動させた状態を立体図で示す。
【図６】同実施の形態に係る、図５で説明した浮力室の上部に浮力室と一体となるように構築した平屋住宅が、大津波の上に浮き上がった状態を立体図で示す。
【図７】この発明の実施の形態２に係る、浮力室の上部に浮力室と一体となるように構築した平屋住宅の四隅に４本のポールを構築し、平屋住宅の壁面に、４本のポールに対置する位置に、リング状のガイド金具を取付けた状態を立体図で示す。
【図８】同実施の形態に係る、図７で説明した、浮力室の上部に浮力室と一体となるように構築した平屋住宅が大津波の上に浮き上がった状態を立体図で示す。
【図９】この発明の実施の形態３に係る、大津波が押し寄せて来る方向の一方の壁側面の両端に、基礎構造体と一体に２本のポールを構築し、２本のポールに対置する平屋住宅の壁面の上部と下部にガイド金具を取付けた状態を立体図で示す。
【図１０】同実施の形態に係る、図９で説明した、浮力室の上部に浮力室と一体となるように構築した平屋住宅が大津波の上に浮き上がった状態を立体図で示す。
【図１１】この発明の実施の形態４に係る、津波が押し寄せて来る方向の壁面の両端に基礎構造体と一体に２本のＨ型鋼のポールを構築し、２本のＨ型鋼に鋼材を面格子状態になるように取付け、２本のＨ型鋼に対置する平屋住宅の壁面の上部と下部に、Ｈ型鋼のフランジ面を囲い込むような四角形状で複数のローラーを内臓したガイド金具を取付けた状態を立体図で示す。
【図１２】同実施の形態に係る、図１１で説明した、浮力室の上部に浮力室と一体となるように構築した平屋住宅が津波の上に浮き上がった状態を立体図で示す。
【符号の説明】
【００５６】１                  平屋住宅
２                  屋根
３                  窓
４                  壁面
５                  ドア枠
６                  出入口ドア
７                  ドアハンドル
８                  出入口
９                  発泡ポリスチレンフォーム
１０                支柱
１１                浮力室
１２                鋼板
１３                上部梁
１４                下部梁
１５                床梁
１６                基礎構造体
１７                基礎構造体
１８                基礎構造体
１９                基礎構造体
２０                階段
２１                基礎部
２５                ガイド金具
２６                ポール
２７                ローラー
２８                ガイドボックス
２９                ローラー
３０                角材
３１                ベース板
３２                取付穴
３３                ガイド金具
３４                基礎構造体
３５                基礎構造体
３６                基礎構造体
３７                ローラー
３８                角材
３９                ベース板
４０                取付穴
４１                ローラー
４２                ガイドボックス
４３                基礎構造体
４４                水面
５０                船外機
５１                船外機用外開きドア
５２                ドア枠
５３                開閉ドア
５４                ドアハンドル
５５                丁番
５６                船外機上部取付金具
５７                丁番
５８                船外機下部取付金具
５９                ドア固定用フック
６０                フック固定金物
６５                平屋住宅
６６                屋根
６７                壁面
６８                ポール
６９                ガイド金具
７０                リング
７１                角材
７２                ベース板
７３                取付穴
７４                ガイド金具
７５                リング
７６                角材
７７                ベース板
７８                取付穴
７９                基礎構造体
８０                基礎構造体
８１                階段
８２                基礎構造体
８３                出入口ドア
８４                出入口
９０                水面
９１                窓
９２                基礎構造体
９３                基礎構造体
９４                基礎構造体
９５                基礎構造体
１００              平屋住宅
１０１              屋根
１０２              ポール
１０３              ガイド金具
１０４              壁面
１０５              ガイド金具
１０６              基礎構造体
１０７              基礎構造体
１０８              階段
１０９              出入口ドア
１１０              出入口
１１１              水面
１１２              基礎構造体
１１３              基礎構造体
１１４              基礎構造体
１１５              浮力室
１１６              基礎構造体
１２０              ガイド金具
１２１              ローラー
１２２              ガイドボックス
１２３              角材
１２４              ローラー
１２５              ベース板
１２６              取付穴
１２７              ガイド金具
１２８              ローラー
１２９              ローラー
１３０              ガイドボックス
１３１              角材
１３２              ベース板
１３３              取付穴
１４４              ポール
１４５              壁面
１４６              ガイド金具
１４７              基礎構造体
１４８              ローラー
１４９              ガイドボックス
１５０              ローラー
１５１              取付穴
１５２              ベース板
１５３              角材
１５４              浮力室
１５５              ガイド金具
１５６              ベース板
１５７              角材
１５８              取付穴
１５９              ガイドボックス
１６０              基礎構造体
１６１              鋼材
１６２              基礎構造体
１６３              鋼材
１６４              Ｈ型鋼
１６５              Ｈ型鋼
１６６              平屋住宅
１６７              屋根
１６８              ローラー
１６９              ローラー
１７０              水面
１７１              窓
１７３              基礎構造体
１７４              基礎構造体
１７５              基礎構造体
１７６              基礎構造体
【図１】
2014201303.tif 000003
【図２】
2014201303.tif 000004
【図３】
2014201303.tif 000005
【図４】
2014201303.tif 000006
【図５】
2014201303.tif 000007
【図６】
2014201303.tif 000008
【図７】
2014201303.tif 000009
【図８】
2014201303.tif 000010
【図９】
2014201303.tif 000011
【図１０】
2014201303.tif 000012
【図１１】
2014201303.tif 000013
【図１２】
2014201303.tif 000014